(57)【要約】【課題】ユーザが通話を行ったりメールを送受信するときに、その通信相手との通話等に関する情報を把握することができる携帯電話機の提供を目的とする。【解決手段】携帯電話機は、通信相手の指定を受け付けたら、自電話機が加入している通信キャリアから提供されるサービスに係るサービス情報に応じて、当該通信相手との通信に関する情報である通信関連情報を決定し、決定された通信関連情報をユーザに通知することを特徴とする。【選択図】図１
2009089074.tif 000002
【特許請求の範囲】
【請求項１】
通信相手と通信する通信手段と、
前記通信手段で通信するための通信相手の指定を受け付ける受付手段と、
自機が加入している通信キャリアから提供されるサービスに係るサービス情報が記憶されている自機サービス記憶手段と、
前記受付手段で通信相手の指定が受け付けられたら、前記サービス情報に応じて、当該通信相手との通信に関する情報である通信関連情報を決定する情報決定手段と、
前記情報決定手段で決定された通信関連情報をユーザに通知する通知手段と
を備えることを特徴とする携帯電話機。
【請求項２】
前記携帯電話機は、更に、通信相手と対応付けて通信キャリアが記憶されている通信相手記憶手段とを備え、
前記情報決定手段は、通信相手と対応付けて記憶されている通信キャリアとに応じて、前記通信関連情報を決定する
ことを特徴とする請求項１記載の携帯電話機。
【請求項３】
前記携帯電話機は、更に、着信から通信キャリアを検出し、前記通信相手記憶手段に記憶させるキャリア検出手段を備え、
前記キャリア検出手段は、着信が着呼の場合は、着呼時に受信したデータに含まれる情報を参照することにより通信キャリアを検出し、発信元である通信相手と対応付けて記憶させ、着信がメールの場合は、当該メールのメールアドレスを参照することにより通信キャリアを検出し、送信元である通信相手と対応付けて記憶させる
ことを特徴とする請求項２記載の携帯電話機。
【請求項４】
前記サービス情報は、通信料を定めた料金プランであり、
前記情報決定手段は、前記料金プランに応じて、通信料について情報である前記通信関連情報を決定する
ことを特徴とする請求項１記載の携帯電話機。
【請求項５】
前記携帯電話機は、更に、時刻を取得する時刻手段を備え、
前記料金プランは、時間帯と通信料が対応付けられて記憶されており、
前記情報決定手段は、前記時刻手段に時刻を取得させ、当該時刻が含まれる時間帯と対応する通信料についての情報である前記通信関連情報を決定する
ことを特徴とする請求項４に記載の携帯電話機。
【請求項６】
前記通信相手記憶手段には、更に、電話番号またはメールアドレスと対応付けて料金プランが記憶されており、
前記受付手段は、電話番号またはメールアドレスを特定することにより通信相手を指定し、
前記情報決定手段は、前記通信相手記憶手段に記憶されている料金プランに応じて、通信料についての情報である前記通信関連情報を決定する
ことを特徴とする請求項２記載の携帯電話機。
【請求項７】
通信相手と通信キャリアとを対応付けて記憶する記憶手段と、
着信から通信キャリアを検出し、前記記憶手段に記憶させるキャリア検出手段を備え、
前記キャリア検出手段は、着信が着呼の場合は、着呼時に受信したデータに含まれる情報を参照することにより通信キャリアを検出し、発信元である通信相手と対応付けて記憶させる
ことを特徴とする携帯電話機。
【請求項８】
通信相手と通信キャリアとを対応付けて記憶する記憶手段と、
着信から通信キャリアを検出し、前記記憶手段に記憶させるキャリア検出手段を備え、
前記キャリア検出手段は、着信がメールの場合は、当該メールのメールアドレスを参照することにより通信キャリアを検出し、送信元である通信相手と対応付けて記憶させる
ことを特徴とする携帯電話機。
【発明の詳細な説明】
【技術分野】
【０００１】
本発明は、携帯電話機での通話およびメール機能に関し、特に通信料等の通信に関連する情報をユーザに通知する技術に関する。
【背景技術】
【０００２】
近年、携帯電話機の市場が拡大し、複数の通信事業者が通信サービスを提供するに至っており、各通信事業者はサービス内容に工夫をこらすことでシェアの拡大を図ろうとしている。
携帯電話機の利用者にとっては、多種多様なサービスが提供されることは、利便性が向上し、複数の通信事業者が参入することは、通信事業者選択の幅が広がるという利点がある。
【０００３】
しかし、一方で、電話をかけたりメールを送受信する場合に、自分が加入している通信事業者と相手の加入している通信事業者とが異なる場合には、提供されているサービスが異なることから、不都合が生ずる場合がある。
例えば、送受信できるメールの文字数や料金が通信事業者間で異なる場合があり、受信したメールが本文の途中で終わっている等の不都合がある。
【０００４】
この不都合に対しては、アドレス帳にメールアドレスと対応付けて記憶されている電話番号から通信事業者を特定し、作成できるメールの文字数を制限する技術が開発され（特許文献１）、送信相手の加入する通信事業者に対応したメールを作成することが可能となっている。
【特許文献１】特開２００３−６９６９１号公報
【発明の開示】
【発明が解決しようとする課題】
【０００５】
しかし、各通信事業者は、電話をかける時間帯や通信相手の加入している通信事業者によって通信料金が異なるなど、様々な料金プランを提供しており、ユーザは、電話をかけたりメールを送受信するときに掛かる料金などのサービス内容を把握するのが難しくなってきている。
言い換えれば、メールの文字数の違いであれば、少ない文字数に合わせれば本文が途切れることはないが、この料金でこの相手と通話するのが妥当か否か等を判断できるのはユーザであり、ユーザがその判断を行うには、サービス内容を把握している必要がある。
【０００６】
更に、近年では、モバイルナンバーポータビリティサービスが開始され、ユーザは、より有利な通信事業者に加入しなおすことが容易となり、知らぬ間に通信相手の加入している通信事業者や料金プランが変更されていることとなり、ますます、通信料金などのサービス内容の把握が難しくなってきている。
このような状況下においては、ユーザは、通話やメールを送受信する際に、この通話は通話料がかかるのか否か、通信相手はメールを受け取ると課金されるのか否かなどを把握しておきたい場合がある。
【０００７】
そこで、本発明は、ユーザが通話を行ったりメールを送受信するときに、その通信相手との通話等に関する情報を把握することができる携帯電話機の提供を目的とする。
【課題を解決するための手段】
【０００８】
上記課題を解決する為に、本発明の携帯電話機は、通信相手と通信する通信手段と、前記通信手段で通信するための通信相手の指定を受け付ける受付手段と、自機が加入している通信キャリアから提供されるサービスに係るサービス情報が記憶されている自機サービス記憶手段と、前記受付手段で通信相手の指定が受け付けられたら、前記サービス情報に応じて、当該通信相手との通信に関する情報である通信関連情報を決定する情報決定手段と、前記情報決定手段で決定された通信関連情報をユーザに通知する通知手段とを備えることを特徴とする。
【０００９】
ここで、サービス情報とは、携帯電話機が通話やメールの送受信に際して受けることができるサービスの内容であり、具体的には、通信相手に応じた通信料、時間に応じた通信料、メールの受信に掛かる料金、メールの送信可能な文字数、メールで使用できる絵文字、メールとしてＥメールとショートメールを使用できること等が含まれる。サービスの内容は、自機の加入している通信事業者（以下、「通信キャリア」という。）によって異なる。
【発明の効果】
【００１０】
本発明に係る携帯電話機は、上述の構成を備えることにより、自機が加入している通信キャリアから提供されるサービスを記憶しているので、ユーザは、発呼またはメール送信を行うときに、通信相手との通信に関連するサービスを知ることが可能となる。
すなわち、記憶しているサービス情報から、行おうとしている通信に対して受けることができるサービスを検出でき、例えば、行おうとしている通信が通話であって、記憶されているサービスが通話料である場合には、ユーザは、通信相手を指定したら通話料を知ることが可能となる。通話料を知ることで、ユーザは発呼を行うかキャンセルするかを判断することができる。
【００１１】
また、前記携帯電話機は、更に、通信相手と対応付けて通信キャリアが記憶されている通信相手記憶手段とを備え、前記情報決定手段は、通信相手と対応付けて記憶されている通信キャリアとに応じて、前記通信関連情報を決定することとしてもよい。
これにより、通信相手の加入している通信キャリアを記憶しているので、ユーザは、発呼またはメール送信を行うときに、通信相手の通信キャリアを考慮した通信に関連する情報を知ることが可能となる。
【００１２】
例えば、サービス情報が、自機が加入している通信キャリアと同じキャリアに加入している通信相手との通話は無料であるという情報である場合には、ユーザは、発呼する通信相手が自分と同じキャリアであることを知らない場合であっても、通話が無料であることを知ることができるので、通話料を気にすることなく話をすることができるようになる。
また、前記携帯電話機は、更に、着信から通信キャリアを検出し、前記通信相手記憶手段に記憶させるキャリア検出手段を備え、前記キャリア検出手段は、着信が着呼の場合は、着呼時に受信したデータに含まれる情報を参照することにより通信キャリアを検出し、発信元である通信相手と対応付けて記憶させ、着信がメールの場合は、当該メールのメールアドレスを参照することにより通信キャリアを検出し、送信元である通信相手と対応付けて記憶させることとしてもよい。
【００１３】
これにより、通信相手の通信キャリアを自動的に更新することができるので、通信に関連する正確な情報を知ることができるようになる。
すなわち、サービス情報が通信相手の加入する通信キャリアに応じて変化するサービスであった場合、例えば、特定の通信キャリアに加入している通信相手からのメールの受信は有料であるというサービスであった場合には、記憶している通信キャリアが正しくなければ正しい情報をユーザに通知することはできない。
【００１４】
例えば、アドレス帳に登録されている通信相手が、加入している通信キャリアを特定の通信キャリアに変更後してメールを送信してきた場合であっても、アドレス帳の通信キャリアが自動的に更新されて、ユーザは、正しい情報、例えば、受信料が有料である等の情報を知ることが可能となる。
また、前記サービス情報は、通信料を定めた料金プランであり、前記情報決定手段は、前記料金プランに応じて、通信料について情報である前記通信関連情報を決定することとしてもよい。
【００１５】
これにより、自機が加入している料金プランを記憶しているので、ユーザは、発呼またはメール送信を行うときに、通信相手との通信料を知ることが可能となる。
例えば、サービス情報が一分あたりの通話料である場合、発呼する通信相手を指定したときに、一分あたりの通話料が表示され、通信相手との通話料を知ることができ、発呼するかキャンセルするかを判断することができるようになる。
【００１６】
また、前記携帯電話機は、更に、時刻を取得する時刻手段を備え、前記料金プランは、時間帯と通信料が対応付けられて記憶されており、前記情報決定手段は、前記時刻手段に時刻を取得させ、当該時刻が含まれる時間帯と対応する通信料についての情報である前記通信関連情報を決定することとしてもよい。
これにより、自機が加入している料金プランの時間帯毎の通信料を記憶しているので、ユーザは、発呼またはメール送信を行うときに、その時刻の通信料を知ることが可能となる。
【００１７】
例えば、通話相手を指定したときに、その時刻の通信料が表示され、更に、通信料が変る時間帯が表示された場合は、今発呼を行うか否かを判断することができるようになる。
また、前記通信相手記憶手段には、更に、電話番号またはメールアドレスと対応付けて料金プランが記憶されており、前記受付手段は、電話番号またはメールアドレスを特定することにより通信相手を指定し、前記情報決定手段は、前記通信相手記憶手段に記憶されている料金プランに応じて、通信料についての情報である前記通信関連情報を決定することとしてもよい。
【００１８】
これにより、通信相手の加入している料金プランを記憶しているので、ユーザは、発呼またはメール送信を行うときに、通信相手の通信料を知ることが可能となる。
例えば、通信相手の加入している料金プランが、電話を受けたときに課金がなされるがショートメールの受信は無料であるという場合には、通話相手を指定したときにその旨がユーザに通知される。その通知により、発呼しようとしているユーザは、通話ではなくショートメールで用件を伝えることを選択するという判断を行うことができるようになる。
【００１９】
本発明の携帯電話機は、通信相手と通信キャリアとを対応付けて記憶する記憶手段と、着信から通信キャリアを検出し、前記記憶手段に記憶させるキャリア検出手段を備え、前記キャリア検出手段は、着信が着呼の場合は、着呼時に受信したデータに含まれる情報を参照することにより通信キャリアを検出し、発信元である通信相手と対応付けて記憶させることを特徴とする。
【００２０】
また、本発明の携帯電話機は、通信相手と通信キャリアとを対応付けて記憶する記憶手段と、着信から通信キャリアを検出し、前記記憶手段に記憶させるキャリア検出手段を備え、前記キャリア検出手段は、着信がメールの場合は、当該メールのメールアドレスを参照することにより通信キャリアを検出し、送信元である通信相手と対応付けて記憶させることを特徴とする。
【００２１】
これにより、着信があれば、自動的に通信キャリアを更新することが可能となる。
【発明を実施するための最良の形態】
【００２２】
＜実施形態＞
＜概要＞
本発明に係る携帯電話機は、通信をしようとしている相手との通信に関し、通信キャリアから受けることのできるサービス内容をディスプレイに表示し、通信を実際に行うか否かの判断の機会をユーザに与えるものである。
【００２３】
自機の加入している通信キャリアが提供するサービスの具体内容を区別させるためのものとしては、例えば、料金プランがある。本携帯電話機は、この料金プランを記憶しておいて、通話やメールの送受信を行うときに、自機が通信キャリアから受けることができる具体的なサービスの内容、例えば、通話料をディスプレイに表示する。
また、本発明に係る携帯電話機は、通信相手が加入している通信キャリアが提供するサービスの具体内容を区別させるための料金プラン等も記憶しておいて、通信相手の受けることができるサービス内容をも考慮したサービス内容を表示する。
【００２４】
従って、ユーザは、今電話をかけるよりも１０分後にかけた方が通信料が安いとか、メールが長いと受信側に課金されるから短くしたほうがよい等の情報を知ることができ、携帯電話機の機能をより適切に使用することが可能となる。
更には、通信相手の通信キャリアや料金プランを、適時、更新する機能をも有している。
【００２５】
以下、本発明である携帯電話機を説明する。
＜構成＞
まず、本発明の実施形態に係る携帯電話機の構成例について図１を用いて説明する。
図１は、本発明に係る携帯電話機の機能ブロック図である。
携帯電話機１０００は、通信部１０１０、音声処理部１０２０、通信相手受付部１１００、ディスプレイ１２００、制御部１３００、キャリア取得部１４００、サービス検索部１５００、メッセージ表示部１６００、通話処理部１７００、メール処理部１８００、時計１９００、アドレス帳記憶部２０００、料金プラン記憶部３０００およびプロフィール記憶部４０００から構成される。
【００２６】
通信部１０１０は、アンテナ１０１１を備え、基地局を介して他の携帯電話機や固定電話機等と通信する機能を有する。
音声処理部１０２０は、音声信号を出力するスピーカ１０２１と外部音声を入力するマイク１０２２とを備え、音声の入出力処理を行う機能を有する。
通信相手受付部１１００は、通信相手の指定を受付け、その旨を制御部１３００に渡す機能を有する。具体的には、いわゆるテンキーなどの操作ボタンを含み、メニュー表示などのユーザの操作を受け付け、表示されたアドレス帳から通信相手の指定を受付ける。また、本通信相手受付部１１００は、通常の携帯電話機が備えるメール作成等の一般的なユーザ操作も受付けるものとする。
【００２７】
また、ディスプレイ１２００は、液晶などのディスプレイを含み、メニューやメール本文等を表示する他、メッセージ表示部１６００から渡されるメッセージをディスプレイに表示する機能を有する。
制御部１３００は、図示しないＣＰＵ、メモリ等を備え、通信制御等の携帯電話機に必要な一般的な制御処理を行う他、本発明に特有の制御処理、例えば、着呼があったら通信キャリアを取得するためにキャリア取得部１４００に依頼するなどの処理を行う。
【００２８】
キャリア取得部１４００は、受信データから通信相手の通信キャリアや料金プランを示す情報を抽出して、アドレス帳に記憶させる機能を有する。ここでの受信データとは、着呼を示すデータやメール内のメールアドレス等をいう。
サービス検索部１５００は、自機の通信キャリアや料金プラン、通信相手の通信キャリアなどの情報から、現在通信しようとしている通信に掛かる料金を検索する機能を有する。すなわち、サービス検索部１５００は、通信関連情報を決定する機能を有し、本実施形態においては、料金を通信関連情報として決定している。また、本実施形態では、主に通信料を検索することとしているが、他のサービスであってももちろん良い。
【００２９】
メッセージ表示部１６００は、サービス検索部１５００からの依頼を受けて、メッセージを生成し、制御部１３００を介してディスプレイ１２００に、メッセージの表示依頼を行う機能を有する。
また、通話処理部１７００は、通常の携帯電話機が有する通話機能を、メール処理部１８００は、通常の携帯電話機が有するメール作成等の機能をそれぞれ有する。
【００３０】
時計１９００は、年月日、曜日、時間を管理しており、問い合わせに応じて、日時等を通知する機能を有する。
次に、アドレス帳記憶部２０００は、氏名と電話番号やメールアドレスを対応付けた、いわゆるアドレス帳を記憶する機能を有し、料金プラン記憶部３０００は、料金プランの内容を記憶する機能を有する。
【００３１】
また、プロフィール記憶部４０００は、自機およびユーザについての情報を記憶する機能を有する。
これら記憶部に記憶されているデータについては、＜データ＞において図２〜図５を用いて説明する。
ここで制御部１３００等の各部による各処理の全部または一部は、ＣＰＵが各種プログラムを実行することにより実現されるものである。
【００３２】
＜データ＞
以下、本発明である携帯電話機が用いる主なデータについて、図２〜図６を用いて説明する。
図２は、プロフィール情報４１００の内容例を示す図である。
このプロフィール情報４１００は、自機およびユーザについての情報であり、プロフィール記憶部４０００に１つ記憶されている。
【００３３】
プロフィール情報４１００は、名前４１１０、携帯電話番号４１１１、メールアドレス４１１２、キャリア４１１３および料金プラン４１１４を含み構成される。
名前４１１０は、自機のユーザの名称等であり、ユーザを識別できるものであればよい。
携帯電話番号４１１１は、自機の電話番号であり、メールアドレス４１１２は、自機のメールアドレスである。
【００３４】
また、キャリア４１１３は、自機が加入している通信キャリアを示し、料金プラン４１１４は、自機が加入している料金プランを示す。以下、「自キャリア」、「自料金プラン」というものとする。
図３は、アドレス帳２１００の内容例を示す図である。
このアドレス帳２１００は、アドレス帳記憶部２０００に記憶されているものである。
【００３５】
アドレス帳２１００は、登録番号２１１０、名前２１１１、固定電話番号２１１２、携帯電話番号２１１３、メールアドレス２１１４、キャリア２１１５、料金プラン２１１６および家族２１１７を含み構成される。
登録番号２１１０は、本アドレス帳２１００に登録されている通信相手の番号であり、「００１」から昇順に付られる。
【００３６】
名前２１１１は、通信相手の名称等であり、通信相手を識別できるものであればよい。
固定電話番号２１１２は、名前２１１１で示される通信相手の固定電話の電話番号であり、携帯電話番号２１１３は、携帯電話機の電話番号である。
メールアドレス２１１４は、同様に、名前２１１１で示される通信相手のメールアドレスである。
【００３７】
また、キャリア２１１５は、携帯電話番号２１１３で示される通信相手の携帯電話機が加入している通信キャリアであり、料金プラン２１１６は、加入している料金プランである。
家族２１１７は、自機が加入している料金プラン４１１４で、特別のサービスを受けることができる特定の個人であることを示すものである。本実施形態では、「家族」である場合に、特定のサービスを受けることができるものとする。この項目が「ＹＥＳ」の場合は、特定の個人であり、「ＮＯ」の場合は、特定の個人ではないことを示すものとする。
【００３８】
本実施形態では、携帯電話番号２１１３は1つとして説明するが、携帯電話番号２１１３が複数ある場合は、それぞれに通信キャリア２１１５や、特別のサービスを受けることができる個人等を記憶するものとする。
例えば、登録番号２１１０「００１」の名前２１１１「Ａ男」の携帯電話機の番号は、携帯電話番号２１１３「０９０２２２２２２２２」であり、加入している通信キャリアと料金プランは、キャリア２１１５「Ａ社」と料金プラン２１１６「プランＡ」である。
【００３９】
図４および図５は、料金プランの内容例を示す図である。
図４は、「プランＡ」を表すものとし、図５は、「プランＢ」を表すものとする。本実施形態では、「プランＡ」は、自機が加入している料金プランである。
図４（ａ）と図５（ａ）は、通話についてのプランであり、図４（ｂ）と図５（ｂ）は、メールについてのプランを示している。
【００４０】
これら料金プランは、料金プラン記憶部３０００に記憶されているものである。本実施形態では、これらのプランは、予め、記憶されているものとする。
まず、図４の「プランＡ」から説明する。
図４（ａ）の通話についてのプランでは、３つの要件が示される。
時間帯通話料３１００、特定通話料３１１０および着信通話料３１２０である。
【００４１】
時間帯通話料３１００は、通話相手３１０１、時間帯３１０２及び通話料３１０３で構成される。
通話相手３１０１は、通話相手の電話機と通信キャリアの種類である。ここでは、自キャリアと異なるキャリアの携帯電話機である「他キャリア携帯電話機」、自キャリアと同じ通信キャリアの携帯電話機である「同キャリア携帯電話機」、固定電話機である「固定電話機」の３種類である。
【００４２】
時間帯３１０２は、１時から２４時で表し、「２３」時は２３時０分０秒から２３時５９分５９秒までを示すものとする。例えば、「０８−１６」は、８時０分０秒から１６時５９分５９秒までの時間帯を表すものとする。
通話料３１０３は、分単位の通話料金を示し、ここでは、「月〜金」と「土・日・祝」の２つに分かれているものとする。
【００４３】
例えば、自キャリアと異なる通信キャリアの携帯電話機あてに、月曜日の９時に電話をかける場合は、通話相手３１０１「他キャリア携帯電話機」、時間帯３１０２「０８−１６」、通話料３１０３「月〜金  ５６」が該当し、１分当たり５６円掛かることになる。
次に、特定通話料３１１０は、時間帯通話料３１００を適用しない場合を既定したものである。
【００４４】
本実施形態では、特定通話料３１１０は、通信相手３１１１と通話料３１１２とで構成され、通信相手３１１１は、通信相手の種類であり、通話料３１１２は対応する通信相手との通話料である。すなわち、この通信相手３１１１で特定される相手との通話にのみ適用される通話料３１１２を定めている。
例えば、通信相手３１１１「家族」との通話は、通話料３１１２「無料」である。
【００４５】
また、着信通話料３１２０は、着呼を受けて通話する場合の通話料であり、ここでは、「無料」である。すなわち、通信相手からかかってきた電話での通話は課金されない。
図４（ｂ）のメールについてのプランでは、２つの要件が示される。
まず、パケット通信料３１３０は「定額」、すなわち、パケット通信に関しては、その量にかかわらず一定金額である。
【００４６】
また、ショートメール送受信料３１４０は「無料」、すなわち、電話番号宛てに送信できる所定文字数以下のメールであるショートメールの送受信は、無料である。
次に、図５の「プランＢ」を説明する。
図５（ａ）の通話についてのプランでは、２つの要件が示される。
時間帯通話料３２００と着信通話料３２１０である。
【００４７】
時間帯通話料３２００は、通話相手３２０１、時間帯３２０２及び通話料３２０３で構成される。
通話相手３２０１は、通話相手の電話機の種類であり、「携帯電話機」と「固定電話機」である。
時間帯３２０２は、１時から２４時で表す。ここでは「１−２４」であるので、１時０分０秒から２４時５９分５９秒まで、すなわち時間によって通信料は変わらないことを示す。
【００４８】
通話料３２０３は、分単位の通話料金を示し、ここでは「４０」であるので、４０円かかることになる。
従って、プランＢではプランＡと異なり、通信相手の通信キャリアが自キャリアと異なるか否かや曜日によって、通話料は異ならない。
また、着信通話料３２１０は「無料」である。すなわち、通信相手からかかってきた電話での通話は課金されない。
【００４９】
図５（ｂ）のメールについてのプランでは、３つの要件が示される。
まず、パケット通信料３２２０は「０．１円／パケット」、すなわち、１パケットの送受信に関しては、０．１円掛かることになる。
また、ショートメール送受信料３２３０は「無料」であり、Ｅメール受信料３２４０は、「全角１２８文字相当まで無料」、すなわち、２５６バイト分のデータを受信する場合は無料であるが、２５７バイト目からの受信にはパケット通信料３２２０が掛かる。
【００５０】
図６は、メッセージ一覧１６１０の内容例を示す図である、
このメッセージ一覧１６１０は、メッセージ表示部１６００が内部メモリに記憶しており、この一覧を参照してメッセージをディスプレイ１２００に表示するものとする。
メッセージ一覧１６１０は、メッセージ番号１６１１とメッセージ内容１６１２とで構成される。
【００５１】
メッセージ番号１６１１は、メッセージを識別する情報であり、この番号がサービス検索部１５００から指定されてメッセージの表示依頼がなされる。
メッセージ内容１６１２は、表示するメッセージの内容であり、メッセージ内の「ＸＸ」の部分には、サービス検索部１５００から渡される情報が埋め込まれることになる。
例えば、メッセージ番号１６１１「ｍ００１」が指定され、情報「４０」が渡されると、メッセージ内容１６１２は「通話料が４０円／分かかります。相手先は、無料です。」となって表示される。
【００５２】
＜動作＞
以下、上述した携帯電話機の動作について図７〜図１４を用いて説明する。その際、図１５〜図１７のメッセージ表示例を参照する。図１５は、発呼時のメッセージ例を示す図であり、図１６は、Ｅメール送信時のメッセージ例を、図１７は、着呼とＥメール受信時のメッセージ例を示す図である。
【００５３】
ここでは、本発明に係る携帯電話機の処理を、次の３つに分けて説明する。通信相手の通信キャリアを取得する処理、発呼またはメール送信時にメッセージを表示する処理、着呼またはメール受信時にメッセージを表示する処理の３つである。
＜通信相手の通信キャリアを取得する処理＞
まず、図７を用いて、通信相手の通信キャリアを取得する処理について説明する。
【００５４】
図７は、通信相手の通信キャリアを取得する処理を示すフローチャートである。
この処理は、キャリア取得部１４００が行う処理である。
通信部１０１０は、着呼またはメールを受信したら、その旨を制御部１３００に通知するとともに受信データを渡す。
通信部１０１０から着呼またはメールを受信した旨の通知を受けた制御部１３００は、着呼かＥメールまたはショートメールの受信かを判別し、その旨と受信したデータをキャリア取得部１４００に渡す。
【００５５】
データを受け取ったキャリア取得部１４００は、着呼である場合（ステップＳ８００：着呼）は、受信データ内のキャリアを識別する情報を参照して通信相手の通信キャリアを得る（ステップＳ８１０）。
キャリアを識別する情報は、例えば、ＰＤＣ（Personal Digital Cellular）通信方式（標準規格：ＲＣＲ  ＳＴＤ−２７）における、発番号情報の１つである発信者番号非通知理由を利用する方法がある。
【００５６】
この非通知情報は３ビットで構成され、現在「０００」〜「１００」までが使用されているため、「１０１」、「１１０」等にそれぞれ通信キャリアを割り当てることとする方法である。
また、受信データ内の空き領域等に新たに通信キャリア通知用の領域を設けることとしてもよい。
【００５７】
着呼の通信キャリアを取得したキャリア取得部１４００は、着呼の発信元である通信相手の電話番号が、アドレス帳２１００（図３）の携帯電話番号２１１３にあるか否かを検索し、あれば、該当するキャリア２１１５を更新する（ステップＳ８２０）。アドレス帳２１００にない場合は、着呼履歴（図示していない）に記憶する。
また、キャリア取得部１４００は、制御部１３００からＥメールを受信した旨の通知を得た場合（ステップＳ８００：メール受信、ステップＳ８３０：Ｅメール）は、受信元のメールアドレスのドメイン名で通信キャリアを判別する（ステップＳ８４０）。すなわち、「＠」以下に、特定の文字列が含まれる場合は、特定の通信キャリアであると判断する。
【００５８】
Ｅメールのアドレスから通信キャリアを判別したキャリア取得部１４００は、メールの送信元であるメールアドレスの「＠」より前の文字列が、アドレス帳２１００のメールアドレス２１１４にあるか否かを検索し、あれば、該当するメールアドレス２１１４とキャリア２１１５を更新する（ステップＳ８２０）。アドレス帳２１００にない場合は、メール受信履歴（図示していない）に記憶する。
【００５９】
また、キャリア取得部１４００は、制御部１３００からショートメールを受信した旨の通知を得た場合（ステップＳ８３０：ショートメール）は、自キャリアと同一の通信キャリアであると判断する（ステップＳ８５０）。
すなわち、電話番号で送受信可能なショートメールは、同一の通信キャリア間でのみ送受信が可能だからである。
【００６０】
ショートメールを受信したことから通信キャリアを判別したキャリア取得部１４００は、メールの送信元である電話番号が、アドレス帳２１００の携帯電話番号２１１３にあるか否かを検索し、あれば、該当するキャリア２１１５を更新する（ステップＳ８２０）。アドレス帳２１００にない場合は、メール受信履歴（図示していない）に記憶する。
着呼履歴やメール受信履歴などから電話番号等をアドレス帳に登録する場合は、記憶している通信キャリアも記録する。
【００６１】
尚、Ｅメールやショートメールの場合も、受信データ内に、通信キャリアを示す情報を含ませることとしてもよい。
＜発呼またはメール送信時にメッセージを表示する処理＞
次に、図８〜図１０を用いて発呼またはメール送信時に、メッセージを表示する処理について説明する。
【００６２】
図８は、発呼またはメール送信時の処理を示すフローチャートである。
ユーザは、通信相手受付部１１００から制御部１３００を介して、ディスプレイ１２００に表示されたアドレス帳から、発呼しようとする通信相手の電話番号を選択する。または送信相手のメールアドレスを選択し、メール作成する（ステップＳ１００）。
電話番号を選択したこと（ステップＳ１１０：発呼）を認識した制御部１３００は、サービス検索部１５００に通話料を検索し、メッセージを表示するよう依頼する。
【００６３】
依頼を受けたサービス検索部１５００は、通話料を検索し（ステップＳ１２０）、メッセージを生成し表示するようメッセージ表示部１６００に依頼する。この通話料の検索処理については、図９を用いて後述する。
一方、メールの送信先としてメールアドレスが選択されたこと、または、ショートメール送信先として電話番号が選択されたこと（ステップＳ１１０：メール送信）を認識した制御部１３００は、サービス検索部１５００にメール送信料を検索し、メッセージを表示するよう依頼する。サービス検索部１５００への依頼は、メールアドレスを選択した時とする。尚、メール本文を確定したとき等であってもよい。
【００６４】
依頼を受けたサービス検索部１５００は、メール送信料を検索し（ステップＳ１６０）、メッセージを生成し表示するようメッセージ表示部１６００に依頼する。このメール送信料の検索処理については、図１０を用いて後述する。
サービス検索部１５００から、メッセージの表示依頼を受けたメッセージ表示部１６００は、メッセージ内容１６１２の「ＸＸ」部分に依頼時に受け取った情報を埋め込んでメッセージを生成し、制御部１３００を介してディスプレイ１２００にメッセージを表示する（ステップＳ１３０）。
【００６５】
メッセージを見たユーザは、発呼する場合はそのまま発呼する処理を行う発呼キーを押下し、メールを送信する場合はメールを送信する処理を行う送信キーを押下する。
発呼キーまたは送信キーが押下されたこと（ステップＳ１４０：ＹＥＳ）を検出した制御部１３００は、通話処理部１７００またはメール処理部１８００に、通常の発呼の処理またはメールの送信処理を開始させる。開始の指示を受けた通話処理部１７００またはメール処理部１８００は。発呼の処理またはメールの送信処理を行う（ステップＳ１５０）。
【００６６】
または、メッセージを見たユーザは、発呼またはメール送信を取りやめる場合は、キャンセルキーを押下する。キャンセルキーが押下されたこと（ステップＳ１４０：ＮＯ）を検出した制御部１３００は、発呼またはメール送信の処理を取りやめる。
＜通話料の検索処理＞
次に、図９を用いて、通話料の検索処理について説明する。
【００６７】
図９は、通話料の検索処理を示すフローチャートである。
ここでは、自機が加入している料金プランは、プロフィール情報４１００の料金プラン４１１４「プランＡ」であるので、料金プラン記憶部３０００に記憶されている「プランＡ」（図４）を参照する。
サービス検索部１５００は、制御部１３００から通話料の検索依頼を受けたら、通信相手の電話番号で、アドレス帳２１００の固定電話番号２１１２および携帯電話番号２１１３を検索する。
【００６８】
同一の電話番号があった場合は、まず、特定通話料３１１０に該当するかを判断する。すなわち、対応する家族２１１７が「ＹＥＳ」か「ＮＯ」を確認する（ステップＳ２００）。
家族２１１７が「ＹＥＳ」である場合（ステップＳ２００：ＹＥＳ）は、特定通話料３１１０を参照し、通話料３１１２は「無料」である（ステップＳ２６０）ので、その旨のメッセージ番号１６１１「ｍ００４」をメッセージ表示部１６００に渡しメッセージを表示させる（ステップＳ２５０）。
【００６９】
例えば、アドレス帳２１００の登録番号２１１０「００１」の携帯電話番号２１１３「０９０２２２２２２２２」に電話をかける場合である（図１５（ｂ）メッセージ５０２０）。
家族２１１７が「ＮＯ」である場合（ステップＳ２００：ＮＯ）は、電話番号が固定電話番号２１１２か携帯電話番号２１１３かを取得し（ステップＳ２１０）、通信相手のキャリア２１１５と料金プラン２１１６を取得する（ステップＳ２２０）。
【００７０】
キャリア２１１５や料金プラン２１１６は、アドレス帳２１００に記載されていない場合は、取得できない。その場合は、取得できる項目で後の処理を行うものとする。尚、必要な項目が揃わない場合は、その旨メッセージ表示することとしてもよい。
次に、時計１９００に問い合わせて、現在の曜日と時間を取得する（ステップＳ２３０）。
【００７１】
電話機の種類と通信相手の通信キャリア等の必要な要件を取得したら、時間帯通話料３１００を参照して、通話料を求める（ステップＳ２４０）。この際、通信相手の料金プランが取得できた場合は、通信相手の料金プランも参照する。
例えば、アドレス帳の登録番号２１１０「００２」、名前２１１１「Ｂ子」の携帯電話番号２１１３「０９０１２３４５６７８」に電話しようとした場合、現在が日曜日の２０時であった場合は、通話料は毎分５６円であることになる。キャリア２１１５「Ｂ社」で自キャリアとは異なるからである。また、「Ｂ子」の料金プラン２１１６「プランＢ」（図５）は、着信通話料３２１０が「無料」である。
【００７２】
通話料を求めたサービス検索部１５００は、その旨のメッセージ番号１６１１「ｍ００１」と毎分の通話料金「５６」をメッセージ表示部１６００に渡しメッセージを表示させる（ステップＳ２５０、図１５（ｃ）メッセージ５０３０）。
また、例えば、アドレス帳の登録番号２１１０「１０１」、名前２１１１「Ｔ美」の携帯電話番号２１１３「０９０７７７７７７７７」に電話しようとした場合、現在が月曜日の２０時であった場合は、現在は無料で、２１時から通話料は毎分２０円であることになる。キャリア２１１５「Ａ社」で自キャリアと同一だからである。この場合に表示されるメッセージは、メッセージ番号１６１１「ｍ００２」となる（図１５（ａ）メッセージ５０１０）。
【００７３】
「プランＡ」に加入している携帯電話機では、上述のように、相手の通信キャリア等により通話料が異なるが、「プランＢ」に加入している携帯電話機では、時間帯通話料３２００（図５（ａ）参照）に示すように、相手によって通話料は変らない。自機の加入している通信キャリアのみに依存するからである。
＜メール送信料の検索処理＞
次に、図１０を用いて、メール送信料の検索処理について説明する。
【００７４】
図１０は、メール送信料の検索処理を示すフローチャートである。
サービス検索部１５００は、制御部１３００からメール送信料の検索依頼を受けたら、ショートメールの送信の場合は、電話番号で、アドレス帳２１００の携帯電話番号２１１３を検索する。
対応する料金プラン２１１６を参照し、料金プランのうちショートメールに関する要件を参照する（ステップＳ３２０）。例えば、「プランＢ」では、ショートメール送受信料３２３０は「無料」である。
【００７５】
次に、自料金プラン「プランＡ」のショートメール送受信料３１４０を参照し、送信料を求める（ステップＳ３３０）。「プランＡ」の場合、ショートメール送受信料３１４０は「無料」である。
サービス検索部１５００は、通信相手にも自機にも料金がかからない旨のメッセージを表示するようメッセージ表示部１６００に依頼する（ステップＳ３６０）。送受信共無料であることから、メッセージを表示しないこととしてもよい。
【００７６】
Ｅメールの送信の場合はメールアドレスで、ショートメールの送信の場合は電話番号で、アドレス帳２１００のメールアドレス２１１４または携帯電話番号２１１３を検索する。
サービス検索部１５００は、制御部１３００からＥメールの送信料の検索依頼を受けたら、メールアドレスで、アドレス帳２１００のメールアドレス２１１４を検索する。
【００７７】
対応するキャリア２１１５が自キャリアと同じであって、メール本文の文字数がショートメールで送れる文字数である場合（ステップＳ３１０：ＹＥＳ）には、その旨のメッセージ番号１６１１「ｍ００３」をメッセージ表示部１６００に渡しメッセージを表示させる（ステップＳ３６０、図１６（ｂ）メッセージ５１２０）。
ショートメールでは送れない場合（ステップＳ３１０：ＮＯ）は、対応する料金プラン２１１６を参照し、料金プランのうちＥメールに関する要件を参照する（ステップＳ３５０）。例えば、「プランＢ」では、Ｅメール受信料３２４０は「全角１２８文字相当まで無料」である。
【００７８】
次に、自料金プラン「プランＡ」のパケット通信料３１３０を参照し、送信料を求める（ステップＳ３５０）。「プランＡ」の場合、パケット通信料３１３０は「定額」である。
送信料を求めたサービス検索部１５００は、送信しようとしているメールの文字数が１２８文字相当より多い場合は、その旨のメッセージ番号１６１１「ｍ１０３」と該当する名前２１１１「Ｂ子」をメッセージ表示部１６００に渡しメッセージを表示させる（ステップＳ３６０、図１６（ａ）メッセージ５１１０）。
【００７９】
＜着呼またはメール受信時にメッセージを表示する処理＞
次に、図１１〜図１４を用いて着呼またはメール受信時に、メッセージを表示する処理について説明する。ここでは、自機が着呼またはメール受信を行う場合、すなわち、「プランＡ」に加入している携帯電話機が着信を受ける場合を説明する。
図１１は、着呼またはメール受信時の処理を示すフローチャートである。
【００８０】
制御部１３００は、通信部１０１０から着呼またはメールを受信したことを通知を受ける（ステップＳ４１０）。
着呼を受けたこと（ステップＳ４１０：着呼）を認識した制御部１３００は、サービス検索部１５００に着呼を受けた場合の通話料（以下、「着信通話料」という。）を検索し、メッセージを表示するよう指示する。
【００８１】
検索指示を受けたサービス検索部１５００は、着信通話料を検索し（ステップＳ４２０）、適切なメッセージを生成して表示するようメッセージ表示部１６００に依頼する。この着信通話料の検索処理については、図１２を用いて後述する。
一方、メールを受信したこと（ステップＳ４１０：メール受信）を認識した制御部１３００は、サービス検索部１５００にメール受信料を検索し、メッセージを表示するよう依頼する。
【００８２】
依頼を受けたサービス検索部１５００は、メール受信料を検索し（ステップＳ４６０）、適切なメッセージを生成して表示するようメッセージ表示部１６００に依頼する。このメール送信料の検索処理については、図１３を用いて後述する。
サービス検索部１５００から、メッセージの表示依頼を受けたメッセージ表示部１６００は、制御部１３００を介してディスプレイ１２００にメッセージを表示する（ステップＳ４３０）。
【００８３】
メッセージを見たユーザは、通話する場合は通話を受ける処理を行う通話キーを押下し、メールを受信する場合は受信する処理を行う受信キーを押下する。
通話キーまたは受信キーが押下されたこと（ステップＳ４４０：ＹＥＳ）を検出した制御部１３００は、通話処理部１７００またはメール処理部１８００に、通常の通話の処理またはメールの受信処理を開始させる。開始の指示を受けた通話処理部１７００またはメール処理部１８００は、通話処理またはメールの受信処理を行う（ステップＳ４５０）。
【００８４】
メッセージを見たユーザが、発呼またはメール送信を取りやめる場合は、キャンセルキーを押下する。キャンセルキーが押下されたこと（ステップＳ４４０：ＮＯ）を検出した制御部１３００は、通話またはメール受信の処理を取りやめる。
＜着信通話料の検索処理＞
次に、図１２を用いて、着信通話料の検索処理について説明する。
【００８５】
図１２は、着信通話料の検索処理を示すフローチャートである。
サービス検索部１５００は、制御部１３００から着信通話料の検索依頼を受けたら、自機の加入している料金プラン「プランＡ」の着信通話料３１２０を参照し、通話料を求める。「プランＡの場合」、着信通話料３１２０は「無料」である。
サービス検索部１５００は、料金がかからない旨のメッセージを表示するようメッセージ表示部１６００に依頼する（ステップＳ５１０）。受信料が無料であることから、メッセージを表示しないこととしてもよい。
【００８６】
また、有料である場合は、その旨のメッセージを表示する（図１７（ａ）メッセージ５２１０）。
＜メール受信料の検索処理＞
次に、図１３を用いて、メール受信料の検索処理について説明する。
図１３は、メール受信料の検索処理を示すフローチャートである。
【００８７】
サービス検索部１５００は、制御部１３００からメール受信料の検索依頼を受けたら、ショートメールの受信の場合（ステップＳ６００：ショートメール）は、自料金プラン「プランＡ」のショートメール送受信料３１４０を参照し、送信料を求める（ステップＳ６３０）。「プランＡ」の場合、ショートメール送受信料３１４０は「無料」である。
サービス検索部１５００は、料金がかからない旨のメッセージを表示するようメッセージ表示部１６００に依頼する（ステップＳ６２０）。
【００８８】
また、Ｅメールの受信の場合（ステップＳ６００：Ｅメール）は、自料金プラン「プランＡ」のパケット通信料３１３０を参照し、受信料を求める（ステップＳ６１０）。「プランＡ」の場合、パケット通信料３１３０は「定額」である。
サービス検索部１５００は、その旨のメッセージを表示するようメッセージ表示部１６００に依頼する（ステップＳ６２０）。
【００８９】
次に、加入している料金プランが「プランＢ」（図５）の携帯電話機がメールを受信する場合の、メール受信料の検索処理について、図１４を用いて簡単に説明する。
図１４は、「プランＢ」のメール受信料の検索処理を示すフローチャートである。
ショートメールを受信した場合（ステップＳ７００：ショートメール）は、図１３の処理と同様に、サービス検索部１５００は、料金プラン「プランＢ」のショートメール送受信料３２３０を参照し、受信料を求める（ステップＳ７４０）。「プランＢ」の場合も、ショートメール送受信料３２３０は「無料」である。
【００９０】
Ｅメールの受信の場合（ステップＳ７００：Ｅメール）は、自料金プラン「プランＢ」のＥメール受信料３２４０を参照し、「無料」には字数制限があるので（ステップＳ７１０：あり）、サービス検索部１５００は、その旨のメッセージをメッセージ表示部１６００に渡しメッセージを表示させる（ステップＳ７３０、図１７（ｂ）メッセージ５２２０）。
【００９１】
文字数に制限がない場合（ステップＳ７１０：なし）、すなわち、Ｅメール受信が無料の場合は、図１３の処理と同様に、自料金プラン「プランＢ」のパケット通信料３２２０を参照し、受信料を求める（ステップＳ７２０）。「プランＢ」の場合、パケット通信料３１３０は「０．１円／パケット」である。
その旨のメッセージをメッセージ表示部１６００に渡しメッセージを表示させる（ステップＳ７３０）。
【００９２】
また、他の要件として、特別な送信元からのＥメールには文字制限がないという要件がある場合には、その旨のメッセージを表示する（図１７（ｃ）メッセージ５２３０）。
＜補足＞
以上、本発明に係る携帯電話機について実施形態に基づいて説明したが、この携帯電話機を部分的に変形することもでき、本発明は上述の実施形態に限られないことは勿論である。即ち、
（１）実施形態では、各料金プランである「プランＡ」と「プランＢ」は、予め、記憶されていることとしているが、適時、更新されることとしてもよい。
【００９３】
例えば、ユーザが所望したときにダウンロードする、料金プランが新しくなったときに通信キャリアから送信されてくる等である。
また、実施形態では、料金プランＡと料金プランＢとを用いて説明したが、これ以外でももちろんよく、内容もこれ以外でももちろんよい。
（２）実施形態では、通信料などの通信に関する情報を携帯電話機のディスプレイに表示することでユーザに通知することとしているが、音声で通知することとしてもよい。この場合、例えば、音声メッセージを記憶しておいてスピーカに流す、文字メッセージを音声に変換してスピーカに流すなどする必要がある。
（３）実施形態では、ユーザが通信相手が指定したときに、その通信相手との通信にかかる料金などを表示することとしているが、ユーザに通信相手を提案することとしてもよい。例えば、現在または特定時刻に通信料が無料の相手の一覧を表示する、ショートメールを受信できる相手の一覧を表示するなどである。
【００９４】
ユーザは、提示された通信相手を選択して、発呼等を行う。
（４）実施形態では、通信相手の通信キャリアなどは、アドレス帳を参照することとしているが、アドレス帳に登録されていない相手からの着呼またはメール受信の場合も、着呼または受信時に実施形態と同様にキャリアを取得し、メッセージを表示することとしてもよい。
（５）実施形態では、通信を受信した場合に、通信キャリアを取得してアドレス帳を更新する場合を説明したが、アドレス帳に通信相手が登録されていない場合には、アドレス帳に登録または更新されたときに、着信履歴や受信履歴に記録されている通信キャリアを登録することとしてもよい。
【００９５】
また、ユーザによってメールアドレス化入力されたときに、メールアドレスから通信キャリアを取得して記憶することとしてもよい。
（６）実施形態で示した携帯電話機等の各機能を実現させる為の各制御処理（図７等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した各機能が実現される。
【産業上の利用可能性】
【００９６】
携帯電話機で通話中の会話の内容を記録する技術として有用である。
【図面の簡単な説明】
【００９７】
【図１】本発明に係る携帯電話機の機能ブロック図である。
【図２】プロフィール情報４１００の内容例を示す図である。
【図３】アドレス帳２１００の内容例を示す図である。
【図４】「プランＡ」の内容例を示す図である。図４（ａ）は、通話についてのプランであり、図４（ｂ）は、メールについてのプランである。
【図５】「プランＢ」の内容例を示す図である。図５（ａ）は、通話についてのプランであり、図５（ｂ）は、メールについてのプランである。
【図６】メッセージ一覧１６１０の内容例を示す図である。
【図７】通信相手の通信キャリアを取得する処理を示すフローチャートである。
【図８】発呼またはメール送信時の処理を示すフローチャートである。
【図９】通話料の検索処理を示すフローチャートである。
【図１０】メール送信料の検索処理を示すフローチャートである。
【図１１】着呼またはメール受信時の処理を示すフローチャートである。
【図１２】着信通話料の検索処理を示すフローチャートである。
【図１３】メール受信料の検索処理を示すフローチャートである。
【図１４】「プランＢ」のメール受信料の検索処理を示すフローチャートである。
【図１５】発呼時のメッセージ例を示す図である。
【図１６】Ｅメール送信時のメッセージ例を示す図である。
【図１７】着呼とＥメール受信時のメッセージ例を示す図である。
【符号の説明】
【００９８】
１０００    携帯電話機
１０１０    通信部
１０２０    音声処理部
１１００    通信相手受付部
１２００    ディスプレイ
１３００    制御部
１４００    キャリア取得部
１５００    サービス検索部
１６００    メッセージ表示部
１７００    通信処理部
１８００    メール処理部
１９００    時計
２０００    アドレス帳記憶部
３０００    料金プラン記憶部
４０００    プロフィール記憶部
【図１】
2009089074.tif 000003
【図２】
2009089074.tif 000004
【図３】
2009089074.tif 000005
【図４】
2009089074.tif 000006
【図５】
2009089074.tif 000007
【図６】
2009089074.tif 000008
【図７】
2009089074.tif 000009
【図８】
2009089074.tif 000010
【図９】
2009089074.tif 000011
【図１０】
2009089074.tif 000012
【図１１】
2009089074.tif 000013
【図１２】
2009089074.tif 000014
【図１３】
2009089074.tif 000015
【図１４】
2009089074.tif 000016
【図１５】
2009089074.tif 000017
【図１６】
2009089074.tif 000018
【図１７】
2009089074.tif 000019